(57)【要約】【課題】十分な作業スペースがない場合でも、コネクタとブラケットとの係止状態を解除できるようにする。【解決手段】本発明は、後方に突出する形態で設置されたブラケット６０に対し、ブラケット６０の後方スペースＲＳからコネクタ５０を前方に押し込んで同コネクタ５０がブラケット６０に装着されるものにおいて、コネクタ５０とブラケット６０との係止状態を解除する解除治具１０であって、前後方向に延びる本体部２０と、本体部２０の前端から後方に向けて折り返された折り返し部４１を有し、コネクタ５０とブラケット６０との係止部分におけるコネクタ５０側に折り返し部４１を引っ掛けた状態で本体部２０を後方に引っ張ることにより係止状態を解除させる解除部４０とを備えた構成としたところに特徴を有する。【選択図】図７
2010055932.tif 000002
【特許請求の範囲】
【請求項１】
後方に突出する形態で設置されたブラケットに対し、前記ブラケットの後方スペースからコネクタを前方に押し込んで同コネクタが前記ブラケットに装着されるものにおいて、前記コネクタと前記ブラケットとの係止状態を解除する解除治具であって、
前後方向に延びる本体部と、
前記本体部の前端から後方に向けて折り返された折り返し部を有し、前記コネクタと前記ブラケットとの係止部分における前記コネクタ側に前記折り返し部を引っ掛けた状態で前記本体部を後方に引っ張ることにより前記係止状態を解除させる解除部とを備えた解除治具。
【請求項２】
前記係止部分は、互いに嵌合することで前記係止状態に保持する係止突部および係止孔によって構成され、前記係止突部は、前記係止状態において前記係止孔の内部から外部に向けて斜め前方に延びる傾斜面を有するものにおいて、前記折り返し部は、前記傾斜面のうち前記係止孔からはみ出た部分に摺接することにより前記係止突部を前記係止孔から離脱させる請求項１に記載の解除治具。
【請求項３】
前記係止突部は、前記ブラケットに沿う形態で前方に突出するロックアームの前端部に設けられ、前記本体部は、前記係止突部が前記係止孔から離脱することに伴って揺動変位した前記ロックアームの前端部を受け入れるロックアーム逃がし孔を備えた請求項２に記載の解除治具。
【請求項４】
前記ロックアームの前端部は、前記ロックアーム逃がし孔を貫通して外部に突出しない範囲内で揺動変位する請求項３に記載の解除治具。
【請求項５】
前記解除部における前記折り返し部の両側に、前後方向に延びる一対の連れ戻しリブが設けられ、前記ロックアームの両側に、前記本体部を後方に引っ張る際に前記一対の連れ戻しリブの後端と係止することにより前記コネクタを前記後方スペースに連れ戻す一対のリブ受けが設けられている請求項４に記載の解除治具。
【発明の詳細な説明】
【技術分野】
【０００１】
本発明は、コネクタとブラケットとの係止状態を解除する解除治具に関する。
【背景技術】
【０００２】
この種の解除治具として、例えば下記特許文献１に記載の解除治具が知られている。この解除治具は、コネクタのキャビティ内に装着された端子金具を外すための治具である。具体的には、解除治具をコネクタの前方からを進入させてランスと端子金具との係止を解除することにより、端子金具を後方に引き抜くことができる。このような解除治具を用いる場合、コネクタの前後両側に作業スペースを確保する必要がある。すなわち、ランスと端子金具の係止部分に対してコネクタの前方から解除治具を押し込む前方スペースと、ランスとの係止状態が解除された端子金具をコネクタの後方に引き抜く後方スペースとの両方が必要となる。このような事情は、ブラケットに固定されたコネクタを外す場合も同様である。
【特許文献１】特開２００４−３２７３７０公報
【発明の開示】
【発明が解決しようとする課題】
【０００３】
ところが、ブラケットの設置環境によっては、コネクタの前後両側に十分な作業スペースを確保できない場合がある。例えば、ブラケットが車両のボディから突出して設けられ、このブラケットに対し、同ブラケットの突出方向と反対方向からコネクタが装着されている場合などが相当する。この場合、コネクタとブラケットとの係止状態を解除するためには、ボディ側から解除治具を進入させる必要があるものの、ボディが邪魔になって解除治具を進入させることができない。  本発明は上記のような事情に基づいて完成されたものであって、十分な作業スペースがない場合でも、コネクタとブラケットとの係止状態を解除できるようにすることを目的とする。
【課題を解決するための手段】
【０００４】
本発明は、後方に突出する形態で設置されたブラケットに対し、ブラケットの後方スペースからコネクタを前方に押し込んで同コネクタがブラケットに装着されるものにおいて、コネクタとブラケットとの係止状態を解除する解除治具であって、前後方向に延びる本体部と、本体部の前端から後方に向けて折り返された折り返し部を有し、コネクタとブラケットとの係止部分におけるコネクタ側に折り返し部を引っ掛けた状態で本体部を後方に引っ張ることにより係止状態を解除させる解除部とを備えた構成としたところに特徴を有する。
【０００５】
このような構成によると、ブラケットの後方スペースから解除治具の本体部を進入させた後に、折り返し部をコネクタ側の係止部分に引っ掛けて本体部を後方に引っ張ることにより係止状態を解除することができる。よって、後方スペースしか確保できない場合であってもコネクタとブラケットとの係止状態を解除することができる。
【０００６】
本発明の実施の態様として、以下の構成が好ましい。
係止部分は、互いに嵌合することで係止状態に保持する係止突部および係止孔によって構成され、係止突部は、係止状態において係止孔の内部から外部に向けて斜め前方に延びる傾斜面を有するものにおいて、折り返し部は、傾斜面のうち係止孔からはみ出た部分に摺接することにより係止突部を係止孔から離脱させる構成としてもよい。
【０００７】
このような構成によると、折り返し部を傾斜面のうち係止孔からはみ出た部分に摺接させて係止突部を係止孔から離脱させることにより、係止状態を解除することができる。
【０００８】
係止突部は、ブラケットに沿う形態で前方に突出するロックアームの前端部に設けられ、本体部は、係止突部が係止孔から離脱することに伴って揺動変位したロックアームの前端部を受け入れるロックアーム逃がし孔を備えた構成としてもよい。
【０００９】
このような構成によると、係止突部を係止孔から離脱させることに伴って揺動変位したロックアームの前端部をロックアーム逃がし孔に受け入れることで、ロックアーム前端部と本体部とが干渉することを回避できる。
【００１０】
ロックアームの前端部は、ロックアーム逃がし孔を貫通して外部に突出しない範囲内で揺動変位する構成としてもよい。
このような構成によると、揺動変位したロックアームの前端部を係止孔の内部に留めておくことができるので、ロックアームの前端部が本体部以外の他の部材と干渉することを回避できる。
【００１１】
解除部における折り返し部の両側に、前後方向に延びる一対の連れ戻しリブが設けられ、ロックアームの両側に、本体部を後方に引っ張る際に一対の連れ戻しリブの後端と係止することによりコネクタを後方スペースに連れ戻す一対のリブ受けが設けられている構成としてもよい。
【００１２】
このような構成によると、ブラケットとの係止状態が解除されたコネクタを本体部とともに後方に引っ張る際に一対の係止リブの後端が一対のリブ受けに係止するから、解除治具を後方に引っ張るだけでコネクタをブラケットから取り外すことができる。
【発明の効果】
【００１３】
本発明によれば、十分な作業スペースがない場合でも、コネクタとブラケットとの係止状態を解除することができる。
【発明を実施するための最良の形態】
【００１４】
＜実施形態１＞
本発明の実施形態１を図１ないし図７の図面を参照しながら説明する。本実施形態の解除治具１０は、図１に示すように、板状をなす本体部２０と、本体部２０の基端側を支持するとともに解除操作を行う際の把持部３０と、本体部２０の先端側に設けられた解除部４０とから構成されている。なお、以下の説明では図１における左側（左方）を前側（前方）とし、同右側（右方）を後側（後方）とする。
【００１５】
把持部３０は、図４に示すように、前後方向に延びる形態で丸棒状に形成されている。また、把持部３０は、金属材料、木質材料、樹脂材料、またはこれらを組み合わせた材料などによって構成されている。また、把持部３０は、手で握りやすい程度の太さとされている。
【００１６】
本体部２０は、金属材料によって構成されている。本体部２０の前端部には、図２に示すように、対向状態で前方に突出して配置された左右一対の突出片２１Ａ，２１Ｂが設けられている。図３に示すように、両突出片２１Ａ，２１Ｂの前端下面同士を架設するようにして、解除部４０が設けられている。
【００１７】
解除部４０は、本体部２０の前端下面から後方に向けて折り返された折り返し部４１を有している。折り返し部４１は、図１に示すように、本体部２０と平行をなす下面４１Ａ、この下面４１Ａの後端縁から斜め前方に延びる摺接面４１Ｂなどを備えて構成されている。なお、本体部２０および解除部４０の前端周縁には、図４に示すように、周方向に亘って面取り部４２が形成されている。
【００１８】
また、解除部４０の後方における両突出片２１Ａ，２１Ｂの間には、後述するロックアーム５２を受け入れるロックアーム逃がし孔２２が本体部２０の板厚方向に貫通する形態で設けられている。ロックアーム逃がし孔２２を構成する後壁２２Ａは、図３に示すように、斜め前方に向けてオーバーハング状に形成されている。
【００１９】
次に、解除治具１０の解除操作が行われるコネクタ５０およびブラケット６０の構造について説明する。コネクタ５０は、図５に示すように、合成樹脂製のコネクタハウジング５１を有している。このコネクタハウジング５１の外面５１Ａに、前方に片持ち状に突出するロックアーム５２が設けられている。一方、ブラケット６０は、金属製の板状部材からなり、車両のボディ７０の奥壁７１から後方に突出する形態で設けられている。また、奥壁７１には、ブラケット６０と対向する対向壁７２が直角をなして連結されている。
【００２０】
ロックアーム５２は、コネクタ５０がブラケット６０に装着された状態では、ブラケット６０に沿う形態で前方に突出するアーム部５２Ａと、アーム部５２Ａの前端からコネクタハウジング５１の外面５１Ａ側に突出する係止突部５２Ｂとから構成されている。アーム部５２Ａと対向壁７２との間隔は、図５に示すように、解除治具１０を挿通できる程度とされている。このため、解除治具１０は、ブラケット６０の後方に確保された後方スペースＲＳから進入させることはできるものの、ブラケット６０の前方からは進入させることができないようになっている。
【００２１】
ブラケット６０には、係止孔６１が板厚方向に貫通して形成されている。この係止孔６１には、係止突部５２Ｂが嵌合可能である。係止孔６１に嵌合した係止突部５２Ｂは、係止孔６１の内壁後端に係止することによりコネクタ５０を後方に抜止状態に保持可能である。また、係止突部５２Ｂは、係止孔６１の内部から外部に向けて斜め前方に延びる傾斜面５３を有している。
【００２２】
傾斜面５３のうち係止孔６１からはみ出た部分は、図６に示すように、解除治具１０の折り返し部４１が引っ掛かるように構成されている。詳細には、折り返し部４１の摺接面４１Ｂが傾斜面５３に接触して折り返し部４１が引っ掛かった状態となっている。この状態から本体部２０を後方に引っ張って解除部４０を後方に移動させると、摺接面４１Ｂと傾斜面５３とが摺接し、係止突部５２Ｂが上方に揺動変位し、係止突部５２Ｂが係止孔６１から離脱する。これにより、コネクタ５０とブラケット６０との係止状態が解除される。
【００２３】
ロックアーム５２の前端部は、揺動変位に伴ってロックアーム逃がし孔２２の内部に受け入れられる。このため、ロックアーム５２の前端部と本体部２０との干渉を回避できる。また、ロックアーム５２の前端部は、ロックアーム逃がし孔２２を貫通して上方に突出しない範囲内で揺動変位するように構成されている。このため、ロックアーム５２の前端部が本体部２０以外の他の部材（例えばワイヤハーネスや突起物など）と干渉することを回避できる。
【００２４】
本実施形態は以上のような構成であって、続いてその作用を説明する。まず、コネクタ５０をブラケット６０に装着する手順について説明する。コネクタ５０を後方スペースから前方に押し込み、ロックアーム５２のアーム部５２Ａとコネクタハウジング５１の外面５１Ａとの間にブラケット６０を進入させる。すると、ロックアーム５２の傾斜面５３は、アーム部５２Ａを弾性的に変形させつつブラケット６０の後端部に摺接しつつブラケット６０の上面に乗り上げる。さらに、コネクタ５０を前方に押し込んでいくと、アーム部５２Ａが弾性的に復帰するとともに係止突部５２Ｂが係止孔６１に嵌り込み、係止突部５２Ｂが係止孔６１の内壁後端に係止する。これにより、コネクタ５０がブラケット６０に対して後方に抜止状態に装着される。
【００２５】
次に、解除治具１０を用いてコネクタ５０とブラケット６０との係止状態を解除する手順について説明する。まず、把持部３０を手で持ち、図５に示すように、ロックアーム５２と対向壁７２との間を通って本体部２０および解除部４０を前方へ進入させる。解除治具１０が所定の挿入位置まで挿入されると、解除部４０を下方に移動させ、図６に示すように、折り返し部４１の摺接面４１Ｂをロックアーム５２の傾斜面５３に宛う。そして、本体部２０および解除部４０を後方へ引っ張り、摺接面４１Ｂと傾斜面５３とを摺接させることにより、ロックアーム５２の前端部を上方へ揺動変位させる。
【００２６】
このとき、ロックアーム５２は、アーム部５２Ａが弾性的に撓み変形しているため、その弾性力によって傾斜面５３を介して折り返し部４１を下方へ押し下げるように作用する。しかし、折り返し部４１は、下面４１Ａがブラケット６０の上面によって支持されているため、折り返し部４１が下方へ押し下げられることはない。よって、ロックアーム５２の前端部を折り返し部４１によって上方へ揺動変位させることができる。
【００２７】
また、ロックアーム５２の前端部は、ロックアーム逃がし孔２２に受け入れられることで、本体部２０と干渉することが回避される。しかも、ロックアーム５２の前端部は、ロックアーム逃がし孔２２から上方に突出しない範囲内で揺動変位するため、ロックアーム５２の前端部と本体部２０以外の他の部材との干渉も回避される。
【００２８】
こうして、係止突部５２Ｂが係止孔６１から完全に離脱した状態に至ると、図７に示すように、係止突部５２Ｂと係止孔６１の内壁後端との係止状態が解除される。この後、コネクタ５０を後方スペースＲＳに向けて後方に引っ張ると、コネクタ５０をブラケット６０から取り外すことができる。
【００２９】
以上のように本実施形態では、後方スペースＲＳから係止突部５２Ｂと係止孔６１の係止部分に解除治具１０を進入させ、傾斜面５３に摺接面４１Ｂを宛って本体部２０を後方へ引っ張ることによりコネクタ５０とブラケット６０との係止状態を解除して、コネクタ５０を後方スペースＲＳ側に取り外すことができる。このようにすると、コネクタ５０の前後両側に作業スペースを確保しなくてもよく、後方スペースＲＳのみでコネクタ５０をブラケット６０から外すことができる。なお、後方スペースＲＳは、コネクタ５０をブラケット６０に装着する際に必要となるスペースであるから、後方スペースＲＳを確保できない事態は考えにくい。よって、本実施形態の解除治具１０があれば、ブラケット６０の設置環境に左右されることなくコネクタ５０をブラケット６０から外すことができる。
【００３０】
また、ロックアーム５２の前端部を受け入れるロックアーム逃がし孔２２を設けたから、ロックアーム５２の前端部と本体部２０が干渉することを回避できる。その際、ロックアーム５２の前端部がロックアーム逃がし孔２２から上方に突出しないようにしたから、ロックアーム５２の前端部が本体部２０以外の他の部材と干渉することを回避できる。
【００３１】
＜実施形態２＞
次に、本発明の実施形態２を図８ないし図１１の図面を参照しながら説明する。本実施形態における解除治具１１は、実施形態１の解除治具１０の解除部４０に一対の連れ戻しリブ４３を追加したものである。その他の共通する構成、作用、および効果については実施形態１と重複するため、その説明を省略する。なお、同じ構成については実施形態１と同一の符号を用いるものとする。
【００３２】
本実施形態の解除部４０における折り返し部４１の両側には、図８および図９に示すように、前後方向に延びる形態で対向配置された一対の連れ戻しリブ４３が設けられている。両連れ戻しリブ４３は、折り返し部４１の後端における左右両側からロックアーム逃がし孔２２の両側縁に沿って後方に延びる形態で設けられている。
【００３３】
ロックアーム５２のアーム部５２Ａは、図１１に示すように、アーム部５２Ａの左右両側に配置された一対の保護壁５４から内側に張り出す一対の連結部５５を介して両保護壁５４と連結されている。連れ戻しリブ４３の後端は、図１０に示す係止解除状態に至ると連結部５５の前端と係止するように構成されている。
【００３４】
このような構成によると、以下のような作用を奏する。解除治具１０を所定の挿入位置まで挿入し、解除部４０を下方に移動させ、折り返し部４１の摺接面４１Ｂをロックアーム５２の傾斜面５３に宛う。そして、本体部２０および解除部４０を後方へ引っ張り、摺接面４１Ｂと傾斜面５３とを摺接させることにより、ロックアーム５２の前端部を上方へ揺動変位させる。こうして、係止突部５２Ｂが係止孔６１から完全に離脱した状態に至ると、図１０に示すように、係止突部５２Ｂと係止孔６１の内壁後端との係止状態が解除される。このとき、図１１に示すように、連れ戻しリブ４３の後端が連結部５５の前端に係止するから、本体部２０および解除部４０をそのまま後方へ引っ張ることにより、コネクタ５０を後方スペースＲＳへ移動させることができ、コネクタ５０をブラケット６０から外すことができる。
【００３５】
以上のように本実施形態では、解除治具１０を引っ張って係止状態を解除する解除操作とコネクタ５０をブラケット６０から引き抜く引抜操作を片手で行うことができる。したがって、解除治具１０を引っ張るだけでコネクタ５０を取り出すことができ、もってコネクタ５０の取り外しにおける作業効率が向上する。
【００３６】
＜他の実施形態＞
本発明は上記記述及び図面によって説明した実施形態に限定されるものではなく、例えば次のような実施形態も本発明の技術的範囲に含まれる。
（１）本実施形態では係止突部５２Ｂと係止孔６１が嵌合するようにしているものの、本発明によると、コネクタ５０とブラケット６０との係止部分を一対の係止突部で構成し、両係止突部を互いに引っ掛けて係止させてもよい。
【００３７】
（２）本実施形態ではブラケット６０に沿う形態で前方に突出するロックアーム５２を例示しているものの、本発明によると、ブラケット６０と交差する形態で横方向に延びる両持ち状のロックアームとしてもよい。
【００３８】
（３）本実施形態ではロックアーム５２の前端部がロックアーム逃がし孔２２の上方に突出しないようにしているものの、本発明によると、ロックアーム５２の前端部をロックアーム逃がし孔２２から上方に突出させてもよい。
【００３９】
（４）実施形態２では連結部５５をリブ受けとしているものの、本発明によると、例えばコネクタハウジング５１の外面から上方に突出するリブ受けを設けてもよい。
【図面の簡単な説明】
【００４０】
【図１】実施形態１の解除治具の側面図
【図２】実施形態１の解除治具の平面図
【図３】実施形態１の解除治具の底面図
【図４】実施形態１の解除治具の正面図
【図５】実施形態１の解除治具を後方スペースから前方に進入させる様子を示した断面図
【図６】実施形態１の解除治具の摺接面を係止突部の傾斜面に宛った様子を示した断面図
【図７】実施形態１の解除治具を後方に引っ張って係止状態を解除した様子を示した断面図
【図８】実施形態２の解除治具の側面図
【図９】実施形態２の解除治具の底面図
【図１０】実施形態２の解除治具を後方に引っ張って係止状態を解除した様子を示した断面図
【図１１】図１０におけるＡ−Ａ線断面図
【符号の説明】
【００４１】
１０，１１…解除治具
２０…本体部
２２…ロックアーム逃がし孔
４０…解除部
４１…折り返し部
４１Ｂ…摺接面
４３…連れ戻しリブ
５０…コネクタ
５２…ロックアーム
５２Ｂ…係止突部
５３…傾斜面
５５…連結部（リブ受け）
６０…ブラケット
６１…係止孔
ＲＳ…後方スペース
【図１】
2010055932.tif 000003
【図２】
2010055932.tif 000004
【図３】
2010055932.tif 000005
【図４】
2010055932.tif 000006
【図５】
2010055932.tif 000007
【図６】
2010055932.tif 000008
【図７】
2010055932.tif 000009
【図８】
2010055932.tif 000010
【図９】
2010055932.tif 000011
【図１０】
2010055932.tif 000012
【図１１】
2010055932.tif 000013